(57)【要約】 【課題】  灰皿の設置が大がかりでなく且つ高コストにならず、また、如何なる路面条件であったとしても転倒することなく見栄え良く設置でき、更に、既設の自動販売機にも比較的簡単に設置できる自動販売機の灰皿保持具を提供すること。【解決手段】  足部に立設させた雄ネジ棒８の上部を、販売機本体ＪＨの底面四隅に設けた雌ネジ体７にねじ込んで設置された自動販売機Ｊの側方に、備え付けられる灰皿保持具１であって、自動販売機Ｊの一方の側面１００側に位置する前後の雄ネジ棒７にそれぞれ取り付けられる支持部材２，２と、前記支持部材２，２相互間に架設される保持フレーム３とを備え、前記保持フレーム３は灰皿Ｇの胴部分を保持する保持部３４を形成してある。【選択図面】  図１
2006018380.tif 000002
【特許請求の範囲】
【請求項１】
足部に立設させた雄ネジ棒の上部を、販売機本体の底面四隅に設けた雌ネジ体にねじ込んで設置された自動販売機の側方に、備え付けられる灰皿保持具であって、自動販売機の一方の側面側に位置する前後の雄ネジ棒にそれぞれ取り付けられる支持部材と、前記支持部材相互間に架設される保持フレームとを備え、前記保持フレームは灰皿の胴部分を保持する保持部を形成してあることを特徴とする自動販売機の灰皿保持具。    
【請求項２】
自動販売機の底面と対面する座板及び自動販売機の側面と対面する背板を有するＬ字状の基板と、前記座板の下面に垂設され且つネジ対偶により伸縮できる脚部と、前記背板に設けられ且つ灰皿を保持するための保持部とを備えており、基板を自動販売機の底面から側面にかけて接するようにセッティングし、下端部が接地した脚部を伸長させて座板を自動販売機の底面に押し付ける態様で、基板を自動販売機に固定させることを特徴とする自動販売機の灰皿保持具。
【請求項３】
自動販売機の一方の側面から上面に渡って配置される第１部材と、自動販売機の他方の側面から上面に渡って配置される第２部材とを備えると共に、前記第１部材側に灰皿の胴部分を保持する保持部を設け、前記第１・第２部材の両側面に配置される部分で自動販売機の両側面相互を挟持する態様で、第１・第２部材相互をネジ止めしてあることを特徴とする自動販売機の灰皿保持具。
【請求項４】
自動販売機の上面から側面に渡って配置される第１部材と、自動販売機の下面から側面に渡って配置される第２部材とを備えると共に、前記第１部材側又は第２部材側に灰皿の胴部分を保持する保持部を設け、前記第１・第２部材の上下面に配置される部分で自動販売機の上下面相互を挟持する態様で、第１・第２部材相互をネジ止めしてあることを特徴とする自動販売機の灰皿保持具。
【請求項５】
自動販売機の底面、側面、上面又は背面にネジ止めされる取付部と、前記取付部に設けられ且つ灰皿の胴部分を保持する保持部とから成り、前記保持部は自動販売機の側面側に配置されていることを特徴とする自動販売機の灰皿保持具。
【発明の詳細な説明】
【技術分野】
【０００１】
この発明は、煙草用の自動販売機に関し、特に自動販売機の灰皿保持具に関するものである。
【背景技術】
【０００２】
自動販売機は、大部分の販売物が時間に関係なく購入できることから、老若男女を問わず、その利用者は非常に多い。近年は国外、首都圏内・外を問わずあらゆる所に設置されており、設置台数は国内だけでも５００万台以上とも言われている。
【０００３】
上記自動販売機のうち、販売対象物を「煙草」とする自動販売機においても駅の構内やその他の場所でも設置されているが、購入者の中には、購入直後に煙草に火をつけ、その場で又は歩きながら煙草を吸う者もいる。
【０００４】
したがって、良識のある人々の間では喫煙者のマナーの悪さが指摘されているが、一方、喫煙者の間では、飲料水の自動販売機にゴミ箱が設置されているのと同様に、煙草の自動販売機の近くに灰皿が設置されることを望む者もいるという事実もある。
【０００５】
ところが、単に自動販売機の付近に灰皿を路面上に設置するだけであれば、強風で灰皿ボックスが転倒した場合には、吸殻や吸殻からニコチンが染み出した水が散乱するような事態が生じる。また、路面条件が悪い所では灰皿ボックスを設置することは困難である。      
【０００６】
なお、飲料水を販売対象とする自動販売機においては、自動販売機内に空き缶等のゴミ箱を有するものを提案したものもある（例えば、特許文献１。）が、煙草の自動販売機ではそのようなものは存在しないし、また、この形態では自動販売機の構造が大がかりになると共に高コストとなるので、その設置台数や設置場所は限られる。
【０００７】
したがって、煙草の自動販売機を取り扱う業界では、灰皿の設置が大がかりでなく且つ、高コストにならず、また、如何なる路面条件であったとしても転倒することなく設置でき、更に、設置された自動販売機にも比較的簡単に設置できる自動販売機の灰皿保持具が開発されることを待ち望んでいる。
【０００８】
なお、近年、自動販売機は、路面条件の悪い場所での設置を可能とするために、自動販売機の底面四隅に埋め込んだ雌ネジ体に、カップ状の足部に立設させた雄ネジ棒を高さ調整可能にねじ込んであり、更には、自動販売機の転倒防止のために、前記足部をアンカー止めされた板状金具により押さえ付けている。
【特許文献１】特開２００１−１０７５８７号
【発明の開示】
【発明が解決しようとする課題】
【０００９】
そこでこの発明では、灰皿の設置が大がかりでなく且つ高コストにならず、また、如何なる路面条件であったとしても転倒することなく見栄え良く設置でき、更に、既設の自動販売機にも比較的簡単に設置できる自動販売機の灰皿保持具を提供すること。
【課題を解決するための手段】
【００１０】
（請求項１記載の発明）
この発明の自動販売機の灰皿保持具は、足部に立設させた雄ネジ棒の上部を、販売機本体の底面四隅に設けた雌ネジ体にねじ込んで設置された自動販売機の側方に、備え付けられる灰皿保持具であって、自動販売機の一方の側面側に位置する前後の雄ネジ棒にそれぞれ取り付けられる支持部材と、前記支持部材相互間に架設される保持フレームとを備え、前記保持フレームは灰皿の胴部分を保持する保持部を形成してある。
（請求項２記載の発明）
この発明の自動販売機の灰皿保持具は、自動販売機の底面と対面する座板及び自動販売機の側面と対面する背板を有するＬ字状の基板と、前記座板の下面に垂設され且つネジ対偶により伸縮できる脚部と、前記背板に設けられ且つ灰皿を保持するための保持部とを備えており、基板を自動販売機の底面から側面にかけて接するようにセッティングし、下端部が接地した脚部を伸長させて座板を自動販売機の底面に押し付ける態様で、基板を自動販売機に固定させる。
（請求項３記載の発明）
この発明の自動販売機の灰皿保持具は、自動販売機の一方の側面から上面に渡って配置される第１部材と、自動販売機の他方の側面から上面に渡って配置される第２部材とを備えると共に、前記第１部材側に灰皿の胴部分を保持する保持部を設け、前記第１・第２部材の両側面に配置される部分で自動販売機の両側面相互を挟持する態様で、第１・第２部材相互をネジ止めしてある。
（請求項４記載の発明）
この発明の自動販売機の灰皿保持具は、自動販売機の上面から側面に渡って配置される第１部材と、自動販売機の下面から側面に渡って配置される第２部材とを備えると共に、前記第１部材側又は第２部材側に灰皿の胴部分を保持する保持部を設け、前記第１・第２部材の上下面に配置される部分で自動販売機の上下面相互を挟持する態様で、第１・第２部材相互をネジ止めしてある。
（請求項５記載の発明）
この発明の自動販売機の灰皿保持具は、自動販売機の底面、側面、上面又は背面にネジ止めされる取付部と、前記取付部に設けられ且つ灰皿の胴部分を保持する保持部とから成り、前記保持部は自動販売機の側面側に配置されている。
【発明の効果】
【００１１】
この発明の自動販売機の灰皿保持具によると、灰皿の設置が大がかりでなく且つ高コストにならず、また、如何なる路面条件であったとしても転倒することなく見栄え良く設置でき、更に、既設の自動販売機にも比較的簡単に設置できる。
【発明を実施するための最良の形態】
【００１２】
以下にこの発明の自動販売機の灰皿保持具を実施するための最良の形態としての実施例について詳細に説明する。
【実施例１】
【００１３】
図１はこの発明の実施例１の自動販売機Ｊの灰皿保持具１の斜視図、図２は前記灰皿保持具１の分解斜視図を示している。
（一般的な自動販売機Ｊの路面等への取り付け態様について）
自動販売機Ｊは一般に、図１に示すように、路面Ｒの条件が悪い場所での設置を可能とするため、販売機本体ＪＨの底面四隅に埋め込んだ雌ネジ体７に、工具対応部８０を備える足部８１に立設させた雄ネジ棒８を高さ調整可能にねじ込んであり、更に、転倒防止のために、アンカー９０により路面Ｒに止められた板状金具９により前記足部８１を押さえ付けるようにしている。
（灰皿Ｇについて）
灰皿Ｇは、図１に示すように、平面視円形状の灰皿本体Ｇ１と、前記灰皿本体Ｇ１よりも小径の平面視円形状のゴミ入れ部Ｇ２とから構成されており、両者は着脱可能に一体化されている。
（灰皿保持具１及びこれの自動販売機Ｊへの取り付け態様について）
灰皿保持具１は、図１や図２に示すように、自動販売機Ｊの右側面側に位置する前後の雄ネジ棒８，８にそれぞれ取り付けられる支持部材２，２と、前記支持部材２，２相互間に架設される保持フレーム３とを備え、前記保持フレーム３は灰皿Ｇの胴部分を保持するための保持部３４を形成してある。
【００１４】
支持部材２は、図１や図２に示すように、長尺の板材２０により構成されており、一端部に円孔２１、及び中程に円孔２２を穿設してある。前記円孔２１及び円孔２２は、雄ネジ棒８の直径よりも少し大きな直径に設定してある。ここで、この支持部材２は、図１や図２に示すように、円孔２２に上記雄ネジ棒８が挿通され、雌ネジ体７の下面に接触する態様で、ナットＮ，Ｎによる所謂ダブルナットで取り付けられる。この状態では、支持部材２における円孔２１が存在する部分は、図１に示すように、自動販売機Ｊの右側面側に突出しており、他方、支持部材２は、雄ネジ棒８の軸芯を中心として回動するが、支持部材２全体が不用意に下側へ移動しないようになっている。なお、上記ナットＮ，Ｎの雄ネジ棒８への取り付けは、販売機本体ＪＨをジャッキアップして前記雄ネジ棒８を雌ネジ体７から抜き取り、雄ネジ棒８にナットＮ，Ｎを螺入後、再び雄ネジ棒８を雌ネジ体７にねじ込めばよい。
【００１５】
保持フレーム３は、図１や図２に示すように、パイプを折り曲げるようにして構成されており、具体的には、下部に雌ネジ体３０ａを収容固定した第１立上げ部３０，３０と、前記第１立上げ部３０，３０の上端から相互に接近すべく水平方向に延びる第１水平部３１，３１と、前記第１水平部３１，３１相互が近接した位置から上方に延びる第２立上げ部３２，３２と、第２立上げ部３２，３２の上端から販売機本体ＪＨに対して遠ざかる方向に延びる第２水平部３３，３３と、前記第２水平部３３，３３の延長部に設けられ且つ灰皿Ｇが保持されるリング状の保持部３４とから構成されている。なお、この保持フレーム３は、図１や図２に示すように、スプリングワッシャＳＷを介してボルトＢを雌ネジ体３０ａにねじ込むようにして取り付けられている。
【００１６】
上記の如く、雄ネジ棒８，８に支持部材２，２がネジ止めされ、更に支持部材２，２に保持フレーム３がネジ止めされた状態では、図１に示すように、自動販売機Ｊの側面から一定距離離れた位置にリング状の保持部３４が形成されるが、前記保持部３４の内径は、灰皿本体Ｇ１の外径よりも小径であり且つゴミ入れ部Ｇ２よりも大径としてある。
（灰皿Ｇを灰皿保持具１に取り付ける態様について）
上記保持部３４にゴミ入れ部Ｇ２を落とし込むと、図４や図５に示すように、灰皿本体Ｇ１が保持部３４に引っ掛かり、灰皿Ｇは保持部３４に吊り下げられた状態で維持される。したがって、強風等により灰皿Ｇが転倒するようなことはない。
（この灰皿保持具１を使用した場合の優れた効果について）
(1) 自動販売機Ｊに使用されている雄ネジ棒８に支持部材２及び保持フレーム３をネジ止めするだけで、灰皿保持具１を自動販売機Ｊに取り付けることができる。つまり、この灰皿保持具１によると、大がかりにならず、高コストにならない。また、前記の如く大がかりではないので見栄えもよく灰皿Ｇを設置できる。
(2) 既設の自動販売機Ｊに灰皿保持具１を取り付ける場合において、支持部材２を雄ネジ棒８の上部に取り付けるためのナットＮ，Ｎは、販売機本体ＪＨをジャッキアップして前記雄ネジ棒８を雌ネジ体７から抜き取り、雄ネジ棒８にナットＮ，Ｎを螺入後、再び雄ネジ棒８を雌ネジ体７にねじ込むだけでよい。したがって、既設の自動販売機Ｊにも灰皿保持具１を比較的簡単に設置できる。
(3) 設置される路面Ｒの条件等が悪くても、灰皿Ｇは自動販売機Ｊの側面において保持部３４で吊り下げられているので、自動販売機Ｊが適正に設置できる限りにおいて、灰皿Ｇは自動販売機Ｊの側面側において適正に設置され、その結果、強風時や地震時においても、自動販売機Ｊが転倒しない限り灰皿Ｇが転倒するようなことはない。したがって、吸殻や吸殻からニコチンが染み出した水が散乱するような事態が生じない。
（その他）
上記実施の形態では、一対の支持部材２，２と保持フレーム３とが別体であったが、これに限定されず、一対の支持部材２，２と保持フレーム３が一体形成されたものであってもよい。
【００１７】
また、上記実施の形態では、灰皿Ｇを保持具３４に吊り下げる形態としているが、これに限定することなく、保持具３４により灰皿Ｇの水平方向への移動を抑制する態様で、灰皿Ｇの下部を路面Ｒ上に載せ置く形態とすることができる。
【実施例２】
【００１８】
図３はこの発明の実施例２の自動販売機Ｊの灰皿保持具１の斜視図、図４は前記灰皿保持具１の脚部５の断面図を示している。
（自動販売機Ｊの路面Ｒへの取り付け態様及び灰皿Ｇの構成について）
一般的な自動販売機Ｊの路面Ｒへの取り付け態様、及び灰皿Ｇについては、実施例１と同じ構成を採っている。
（灰皿保持具１及びこれの自動販売機Ｊへの取り付け態様について）
灰皿保持具１は、図３や図４に示すように、座板４０と前記座板４０に対して直角に設けられた背板４１とから成るＬ字状の基板４と、前記座板４０の下面に垂設され且つネジ対偶により伸縮できる二本の脚部５，５と、前記背板４１に設けられ且つ灰皿Ｇを吊り下げるための保持板６ (保持部）とから構成されている。
【００１９】
基板４には、図３や図４に示すように、自動販売機Ｊの側面１００と対面する背板４１部分には着磁力を有するシート状の磁性部材４２を貼り付けてある。
【００２０】
脚部５は、図４に示すように、座板４０の下面に固定される第１雌ネジ体５０と、中間部に区画壁５１ａを有する第２雌ネジ体５１と、下端部が路面Ｒに接地する第３雌ネジ体５２と、上端部が第１雌ネジ体５０に螺入され且つ下端部が第２雌ネジ体５１に螺入される第１雄ネジ体５３と、上端部が第２雌ネジ体５１に螺入され且つ下端部が第３雌ネジ体５２に螺入される第２雄ネジ体５４とから構成されている。なお、上記区画壁５１ａよりも上側のネジ部と、区画壁５１ａよりも下側のネジ部とは所謂逆ネジとなっており、第２雌ネジ体５１を正回動すると、第２雌ネジ体５１への第１雄ネジ体５３及び第２雄ネジ体２４の螺入量は少なくなって脚部５の全長が長くなり、逆に、第２雌ネジ体５１を逆回動すると、第２雌ネジ体５１への第１雄ネジ体５３及び第２雄ネジ体２４の螺入量は大きくなって脚部５の全長が短くなる。
【００２１】
保持板６は、図３や図４に示すように上記した背板４１の上端部に直角に配置された板材により構成されており、この板材には円孔６０を設けてある。なお、前記円孔６０の内径は、灰皿本体Ｇ１の外径よりも小径であり且つゴミ入れ部Ｇ２よりも大径としてある。（自動販売機Ｊへの灰皿保持具１の取り付けについて）
(1) 座板４０を自動販売機Ｊの底面１０１と、背板４１に貼り付けたシート状の磁性部材４２を自動販売機Ｊの側面１００と、それぞれ対面させる態様で、基板４を自動販売機Ｊの底面１０１から側面１００にかけて接するようにセッティングする。この状態では、背板４１は磁性部材４２を介して自動販売機Ｊに磁着している。
(2) 第３雌ネジ体５２が回動しないようにしながら第２雌ネジ体５１を正回動させ、第３雌ネジ体５２の下端が路面Ｒに接地するまで、前記行為を継続する。
(3) 第３雌ネジ体５２の下端が路面Ｒに接地すると、第２雌ネジ体５１の回転抵抗は大きくなるが、継続して第２雌ネジ体５１を正回動させる。すると、座板４０が自動販売機Ｊの底面に押し付ける態様で、基板４は自動販売機Ｊに固定される。
【００２２】
つまり、この灰皿保持具１は磁性部材４２を介した背板４１の自動販売機Ｊへの磁着力、及び脚部５から作用する座板４０の自動販売機８への押圧力により、自動販売機Ｊに強固に取り付けられる。
【００２３】
なお、この実施例２のものにおいて、実施例１の（この灰皿保持具１を使用した場合の優れた効果について）欄に記載したと同様の効果を奏することは明らかである。
（その他）
上記実施の形態では、灰皿Ｇを保持板６に吊り下げる形態としているが、これに限定することなく、保持部６の円孔６０の構成壁により灰皿Ｇの水平方向への移動を抑制する態様で、灰皿Ｇの下部を路面Ｒ上に載せ置く形態とすることができる。
【実施例３】
【００２４】
図５はこの発明の実施例３の灰皿保持具１の斜視図、図６は前記灰皿保持具１を構成する第１・第２部材１’，２’相互をネジ止めする構造を示す断面図を示している。
【００２５】
この実施例３の灰皿保持具１は、図５や図６に示すように、自動販売機Ｊの一方の側面１００から上面１０２に渡って配置された第１部材１’と、自動販売機Ｊの他方の側面１００から上面１０２に渡って配置された第２部材２’とを備えており、前記第１部材１’と第２部材２’の対向する直立片１０’，２０’のうち、直立片２０’にボルト挿通孔２０ａ’を、直立片１０’にネジ孔１０ａ’を、それぞれ設けてあると共に，前記ボルト挿通孔２０ａ’からボルトＢ’を挿通させた後に当該ボルトＢ’の雄ネジ部をネジ孔１０ａ’に螺入している。そして、前記第２部材２’には、図５に示すように、実施例１、２と同等に灰皿Ｇを保持する保持部３’を備えている。
【００２６】
この灰皿保持具１では、ボルトＢ’を強く締め込むと、第１・第２部材１’，２’は両側面１００及び上面１０２にしっかりと取り付き、逆に、ボルトＢ’を緩めると簡単に取り外せる。
【００２７】
ここで、灰皿保持具１としては、自動販売機Ｊの上面１０２から側面１００に渡って配置された第１部材１’と、自動販売機Ｊの下面１０１から側面１００に渡って配置された第２部材２’とを備え、前記第１部材１’と第２部材２’の対向する直立片１０’，２０’のうち、直立片２０’にボルト挿通孔２０ａ’を、直立片１０’にネジ孔１０ａ’を、それぞれ設けてあると共に，前記ボルト挿通孔２０ａ’からボルトＢ’を挿通させた後に当該ボルトＢ’の雄ネジ部をネジ孔１０ａ’に螺入するようにしてもよい。
【００２８】
なお、この実施例３のものにおいて、実施例１の（この灰皿保持具１を使用した場合の優れた効果について）欄に記載したと同様の効果を奏することは明らかである。
【実施例４】
【００２９】
図７はこの発明の実施例４の灰皿保持具１で灰皿Ｇを保持した状態を示す斜視図を示している。
【００３０】
この灰皿保持具１は、図７に示すように、  自動販売機Ｊの側面１００にボルト止めされる取付部３’と、前記取付部３’に設けられ且つ灰皿Ｇの胴部分を保持する保持部４’とから成り、前記保持部４’は自動販売機Ｊの側面１００側に配置されている。
【００３１】
この実施例４のものにおいて、実施例１の（この灰皿保持具１を使用した場合の優れた効果について）欄に記載したと同様の効果を奏することは明らかである。
【００３２】
なお、取付部３’の取付位置は、自動販売機の側面だけに限られるものではなく、他の底面、上面又は背面でもよい。要するに、保持部４’が自動販売機Ｊの側面１００側に配置されていればよいのである。
【図面の簡単な説明】
【００３３】
【図１】この発明の実施例１の自動販売機の灰皿保持具の斜視図。
【図２】前記灰皿保持具の分解斜視図。
【図３】この発明の実施例２の自動販売機の灰皿保持具の斜視図。
【図４】前記実施例２の灰皿保持具の脚部の断面図。
【図５】この発明の実施例３の灰皿保持具の斜視図。
【図６】前記実施例３の灰皿保持具を構成する第１・第２部材相互をネジ止めする構造を示す断面図。
【図７】この発明の実施例４の灰皿保持具で灰皿を保持した状態を示す斜視図。
【符号の説明】
【００３４】
Ｊ        自動販売機
ＪＨ      販売機本体
Ｇ        灰皿
Ｇ１      灰皿本体
Ｇ２      ゴミ入れ部
１        灰皿保持具
２        支持部材
３        保持フレーム
【図１】
2006018380.tif 000003
【図２】
2006018380.tif 000004
【図３】
2006018380.tif 000005
【図４】
2006018380.tif 000006
【図５】
2006018380.tif 000007
【図６】
2006018380.tif 000008
【図７】
2006018380.tif 000009